(57)【要約】【課題】  ＬＥＤ正面からの角度の違いによる光度や照度の差を補正するＬＥＤ表示装置及び照明装置。【解決手段】  ＬＥＤを使って文字メッセージを表示できるＬＥＤ表示装置または、ＬＥＤを照明に使ったＬＥＤ照明装置であり、異なる配光特性を持つＬＥＤを組み合わせることにより、より広い範囲からの表示文字の視認性向上または、より広い空間での照度の向上することを特徴とするＬＥＤ表示装置またはＬＥＤ照明装置。【選択図】  図２
2010107819.tif 000002
【特許請求の範囲】
【請求項１】
同じ色のＬＥＤを２個以上配列させて一つの表示単位とし、文字や数字を表示するＬＥＤ表示装置において、配光特性の異なるＬＥＤ同士を一つの表示単位として組み合わせることによって、広い範囲で視認性を向上できることを特徴とするＬＥＤ表示装置。
【請求項２】
同じ色のＬＥＤを複数個配置させたＬＥＤ照明装置において、配光特性の異なる複数種類のＬＥＤを組み合わせることによって、広い範囲で照度を向上できることを特徴とするＬＥＤ照明装置。
【発明の詳細な説明】
【技術分野】
【０００１】
本考案は、ＬＥＤ正面からの角度の違いによる光度や照度の差を補正するＬＥＤ表示装置及び照明装置に関するものである。
【背景技術】
【０００２】
個々のＬＥＤの明るさは光度によって表現されるが、光度は一般に、ＬＥＤの正面付近が一番高く、正面からの角度が増すに従って光度は低くなる。光度の絶対値や、正面からの角度による減衰度は、個々のＬＥＤで異なっている。
【０００３】
例えば、ＬＥＤ表示装置を屋外看板に使用する場合は、遠くからでも視認性をよくするために光度の高いＬＥＤを用いる。しかしこのように光度の高いＬＥＤは、正面以外では光度は急激に低くなる。つまり狭い配光特性を持つ。
【０００４】
一方では、上述のＬＥＤほどの光度はないが、正面以外でも光度の低下が少ない、広い配光特性を持つＬＥＤもある。
【０００５】
一般に屋外看板は、高所に設置される。遠くから視認できるように、看板正面、すなわちＬＥＤ正面を遠方に向けて設置する。すると看板に近づくほど、ＬＥＤ正面からはずれることになる。そのため光度の高いＬＥＤを使用すると、配光特性が狭いために、看板に近づいた位置からの視認性に問題が出る。
【０００６】
これを解決するために、取り付け角度が異なる複数のＬＥＤを一つの表示単位の中に納めることにより、遠方から見たときの光度を保ちつつ、近辺でも光度が落ちない方法が提案されている。しかしこの方法では、取り付け角度が異なるＬＥＤ同士を並べて配置せねばならず、製造過程が複雑になる。
【０００７】
またＬＥＤ照明装置においても同様に、高光度のＬＥＤだけでは、正面の照度は高いが、側方の照度が極端に減衰する。
【０００８】
この欠点を補うために、正面を照射するＬＥＤと、側方を照射するＬＥＤの取り付け角度を変えるという手段がある。しかしこの方法では、異なる取り付け角度に対応する複数のＬＥＤ部品を作らねばならず、製造コストの増加に結びつく。
【特許文献１】特開平７−３０２９３１広報（図１、図２、図４）
【発明の開示】
【発明が解決しようとする課題】
【０００９】
屋外看板としては、離れた場所からも、看板に近づいた位置から見たときも、視認性が高いことが望ましい。しかし実際には、遠くから見たときの視認性を重視すると、看板に近づいたときに見づらくなり、看板の近くから見易くすると、遠くからの視認性に問題が出る。また現在提案されている解決方法では、製造過程が複雑となり、コスト高につながる。
【００１０】
本考案は上記の問題点を解決するためになされたものであり、製造コストを上げずに、看板の遠方からも、近づいた位置から見たときも、高い視認性を保つことを特徴とする。
【課題を解決するための手段】
【００１１】
一般的にＬＥＤで文字を表示する場合は、ＬＥＤをマトリックス上に並べ、個々のＬＥＤで点灯／消灯状態で文字を表現する。このときマトリックスを構成する一単位は１個以上のＬＥＤから構成され、これを表示単位と呼ぶ。表示単位を構成するＬＥＤの種類や個数は通常、表示色の数や求められる光度、コストによって決まる。
【００１２】
請求項１ に係るＬＥＤ表示装置は、同じ色のＬＥＤを２個以上配列させて一つの表示単位とし、文字や数字を表示するＬＥＤ表示装置において、配光特性の異なるＬＥＤ同士を一つの表示単位として組み合わせることによって、より広い視野で視認性を向上できる。
【００１３】
また、請求項２ に係るＬＥＤ照明装置は、同じ色のＬＥＤを複数個配置させたＬＥＤ照明装置において、配光特性の異なる複数種類のＬＥＤを組み合わせることによって、より広い範囲で空間の照度を向上できる。
【発明の効果】
【００１４】
請求項１の発明により、光度が高く配光特性の狭いＬＥＤが正面遠方からの視認性を保ち、配光特性の広いＬＥＤが正面から外れたところの視認性をカバーするため、遠くからでも近くからでも視認性の高い表示が、製造コストを上げることなく可能となる。
【００１５】
また、請求項２の発明により、正面の照度が高く、正面から外れたところでもあまり照度を落とすことのない照明装置が、製造コストを上げることなく可能となる。
【発明を実施するための最良の形態】
【００１６】
以下、本考案の一実施の形態であるＬＥＤ表示装置について、図面を参照して説明する。図１は、ＬＥＤ表示装置の表示単位を示す図であり、図２は、一つの表示単位の構成を示す構成図であり、図３は、光度が高いＬＥＤの一般的な配光特性例であり、図４は、光度が低いＬＥＤの一般的な配光特性例であり、図５は、看板からの距離によって、看板すなわちＬＥＤ正面からの角度が変わることを示すイメージ図であり、図６は、本考案のＬＥＤ照明装置の一実施の形態である。
【００１７】
まず図１を参照して、ＬＥＤ表示装置の表示単位を説明する。表示単位は一般的に、１個以上のＬＥＤで構成されている。ＬＥＤで文字を表示するためには、表示単位をマトリックス上に配置し、各表示単位の点灯／消灯で文字を表現する。図１は、縦１６×横１６のマトリックスで漢字「電」を表示する例であり、黒い表示単位は点灯、白い表示単位は消灯を示す。
【００１８】
次に図２を参照して、ＬＥＤ表示装置の表示単位の構成を説明する。この図では一つの表示単位に４個までのＬＥＤを配置できるが、光度のバランスで実際の実装個数を調整する。例えばこの例では、高光度のＬＥＤを２個対角に配置し、配光特性の広いＬＥＤを１個だけ配置している。対角にするのは、上下左右から見たときの見え方をなるべく均一にするためである。
【００１９】
次に図３と図４を参照して、ＬＥＤの配光特性の違いを説明する。図３は光度が高いＬＥＤの配光特性例であり、正面以外では急激に光度が落ちる。図４は、図３のＬＥＤほど光度が高くないＬＥＤの配光特性例であり、正面から外れたときの光度の落ち方は緩くなっている。
【００２０】
次に図５を参照して、ＬＥＤ表示装置またはＬＥＤ表示装置を伴う看板からの距離によって、ＬＥＤ正面からの角度が変わることを説明する。ＬＥＤ表示装置またはＬＥＤ表示装置を伴う看板は、建物の壁面や屋上に設置する。その際に、ＬＥＤ表示装置または看板全体を若干下に向けて設置することもある。遠方からの視認性を良くするために、ＬＥＤ正面は遠方に向ける。ゆえに、ＬＥＤ表示装置または看板をほぼ正面から見ることができる観察者が、ＬＥＤ表示装置または看板に近くなる方向へ移動するほど、ＬＥＤ表示装置または看板を見たときにＬＥＤ正面からの角度は深くなる。
【００２１】
次に図６を参照して、本考案のＬＥＤ照明装置の一実施の形態を説明する。ＬＥＤ照明装置は、多数個のＬＥＤを面状に配置することによって、十分な照明能力を確保する。図６の例では、面状に配置されたＬＥＤのうち、中央部分に光度が高いＬＥＤを配置し、側辺部分に光度は低くとも配光特性の広いＬＥＤを配置する。こうすることにより、ＬＥＤ照明装置の正面は照度が高く、正面から外れても急激に照度が落ちることはない。
【産業上の利用可能性】
【００２２】
宣伝力の高いＬＥＤ表示装置として、または周辺まで照明能力の高いＬＥＤ照明装置として利用可能。
【図面の簡単な説明】
【００２３】
【図１】ＬＥＤ表示装置の一つの表示単位示す図である。
【図２】一つの表示単位の構造を示す正面図である。
【図３】光度が高いＬＥＤの配光特性例である。
【図４】光度が低いＬＥＤの配光特性例である。
【図５】ＬＥＤ表示装置または看板からの距離によって正面からの角度が変わることを示すイメージ図である。
【図６】配光特性が異なる２種類のＬＥＤを用いたＬＥＤ照明装置例である。
【符号の説明】
【００２４】
１  表示単位
２  光度が高いＬＥＤ
３  光度が低いＬＥＤ
４  ＬＥＤ表示装置またはＬＥＤ表示装置を伴う看板
５  ビルなどの建物
【図１】
2010107819.tif 000003
【図２】
2010107819.tif 000004
【図３】
2010107819.tif 000005
【図４】
2010107819.tif 000006
【図５】
2010107819.tif 000007
【図６】
2010107819.tif 000008